(57)【要約】【課題】ブロックのピッチを小さくしベルトの走行時における騒音の発生も小さなものとすることができ、また、ブロックの成形中における樹脂漏れも少なくバリの発生もなく仕上げなどの工程を省くことができ、製造コスト的にも有利な高負荷伝動ベルトおよびその製造方法を提供する。【解決手段】センターベルト３の長手方向に沿って複数のブロック２を設け、ブロック２はセンターベルト３に設けた幅方向の凹条部７、８に噛み合う凸条部８、９を有しており、その両者を噛み合せることによって長手方向に動かないようにしている高負荷伝動ベルト１において、ブロック２は注型成形により得られるポリアミド樹脂からなっている。【選択図】図３
2005351451.tif 000002
【特許請求の範囲】
【請求項１】
センターベルトと、該センターベルトの長手方向に沿って複数のブロックを設け、ブロックはセンターベルトに設けた幅方向の凹条部に噛み合う凸条部を有しており、その両者を噛み合せることによって長手方向に動かないようにしている高負荷伝動ベルトにおいて、ブロックは注型成形によるポリアミド樹脂からなっていることを特徴とする高負荷伝動ベルト。
【請求項２】
センターベルトと、該センターベルトの長手方向に沿って複数のブロックを設けた高負荷伝動ベルトの製造方法であって、金型はセンターベルト保持部と、該センターベルト保持部に保持されたセンターベルトの所定位置に成形されたブロックが嵌合されるように配置したブロックを成形するためのキャビティを有しており、センターベルトを前記センターベルト保持部にセットした状態で金型内のキャビティに、実質上無水のラクタムに少なくともアニオン重合触媒とアニオン重合開始剤とを加えた重合性ラクタム液を注型して、キャビティ内の重合性ラクタム液を加熱して重合させ、重合が完了した後脱型することを特徴とする高負荷伝動ベルトの製造方法。
【発明の詳細な説明】
【技術分野】
【０００１】
本発明は、センターベルトの長手方向に沿って複数のブロックを固定した高負荷伝動ベルトおよびその製造方法に係り、より短い時間で効率よく製造することができ、しかもブロックとセンターベルトとの間が強固に固定されており、ブロックとセンターベルトとの摩擦の発生やセンターベルトの切断などの問題を防止した高負荷伝動ベルトおよびその製造方法に関する。
【背景技術】
【０００２】
ベルト式無段変速装置に使用するベルトは、プーリのＶ溝幅を変えることによってプーリに巻きかかる有効径を変化させ変速比を調節する様な変速プーリに巻き掛けて使用するものであり、プーリからの側圧が大きくなるのでベルトは大きな側圧に耐えるものでなくてはならない。また、無段変速の用途以外にも通常のゴムベルトでは寿命が短くなりすぎるような高負荷伝動の用途には特別に高負荷に耐えうるようなベルトを用いる必要がある。
【０００３】
そのようなベルトとして使用されるものの中に、センターベルトにブロックを固定してベルト幅方向の強度を高めた引張伝動式の高負荷伝動ベルトがあり、具体的な構成としては、心線をゴムなどのエラストマー中に埋設したセンターベルトにボルトやリベットなどの止着材を用いてセンターベルトに使用しているエラストマーよりも比較的硬質のエラストマーからなるブロックを止着固定したものがある。
【０００４】
このような引張伝動式の高負荷伝動ベルトに用いられるブロックの要求品質としては、上記のように摩擦伝動において高負荷の伝動を目的としているために、曲げ疲労性、耐摩耗性、耐熱性、剛性、耐衝撃性等の性質をバランス良く保有する必要がある。さらにプーリを摩耗させないようにすることも大切な要素である。
【０００５】
これらの要求を満たす高負荷伝動ベルトとして、例えば、特許文献１に開示されているようなものがある。このベルトは、ブロックとプーリの接触する部分が、フェノール系樹脂成分にゴム成分が添加された樹脂成形材料によって、金属等によって形成されているインサート材を被覆した２重構造のブロックを用いたものである。
【０００６】
また、特許文献１には、フェノール系樹脂にアクリロニトリル−ブタジエン系ゴムをマトリックスとして炭素繊維及びアラミド繊維の２繊維を含む繊維質充填率２５〜６０重量部を配合させて、炭素繊維はオニオン構造を有し、結晶層厚が２５〜２００μｍであるフェノール系樹脂を用いたブロックが用いられた高負荷伝動ベルトが開示されている。
【０００７】
また、フェノール樹脂は熱硬化性樹脂であるために成形サイクルが長くなってしまうことやリサイクル性に劣るといった問題もある。
【０００８】
そこで、特許文献２には金型内にセンターベルトを設置した状態で、熱可塑性樹脂を射出成形することによってブロックを成形するといったベルトの製造方法が開示されている。
【０００９】
【特許文献１】特公平７−１１０９００号公報
【特許文献２】特開２００３−２０２０５４号公報
【発明の開示】
【発明が解決しようとする課題】
【００１０】
ところが、特許文献１のようなブロックを装着したベルトの製造はセンターベルトにブロックを一つ一つ嵌め込んでやるという作業をおこなわなければならず、製造には非常に手間がかかってしまう。それだけ製造コストの面では不利であり、価格の高いベルトとなってしまうといった問題があった。
【００１１】
また、特許文献２ではセンターベルトを装着した金型に樹脂を射出してブロックを成形することにより、センターベルトに別途成形したブロックを装着するという行程を省くことができるので、製造コストを大幅に下げることができ、熱可塑性樹脂なのでリサイクル性にも優れている。
【００１２】
しかし、キャビティ内に射出成形をしてこのようなロ字形状のブロックを成形した場合、樹脂を射出す際の圧力がある一定以上のものであることから、ブロックを成形する金型も一定以上の強度を持つものでなければならない。よって金型もそれ相応の厚みを持ったものになってしまい、隣り合うブロックとブロックとの間隔が大きくなるとい問題があった。ブロックのピッチが大きくなるとベルトを走行させたときの騒音が大きくなる。
【００１３】
また、無端のセンターベルトを金型に装着した状態で射出成形しているので金型を閉じた状態でも金型とセンターベルトとの間などから射出した溶融樹脂が漏れてしまうという問題もあった。ブロックのピッチを小さくするために金型を薄くすると強度不足で金型が変形することになるので、それも樹脂漏れの原因となる。
【００１４】
そこで本発明はこのようなブロックをセンターベルトに装着したタイプのベルトを製造するにあたり、ブロックのピッチをできるだけ小さなものとしてベルトの騒音の問題を低減するとともに、製造中における樹脂漏れの問題や金型の変形といった問題も解消することができる高負荷伝動ベルトおよびその製造方法の提供を課題とする。
【課題を解決するための手段】
【００１５】
上記のような課題を解決するために本発明の請求項１は、センターベルトと、該センターベルトの長手方向に沿って複数のブロックを設け、ブロックはセンターベルトに設けた幅方向の凹条部に噛み合う凸条部を有しており、その両者を噛み合せることによって長手方向に動かないようにしている高負荷伝動ベルトにおいて、ブロックは注型成形により得られるポリアミド樹脂からなっていることを特徴とする。
【００１６】
請求項２では、センターベルトと、該センターベルトの長手方向に沿って複数のブロックを設けた高負荷伝動ベルトの製造方法であって、金型はセンターベルト保持部と、該センターベルト保持部に保持されたセンターベルトの所定位置に成形されたブロックが嵌合されるように配置したブロックを成形するためのキャビティを有しており、センターベルトを前記センターベルト保持部にセットした状態で金型内のキャビティに、実質上無水のラクタムに少なくともアニオン重合触媒とアニオン重合開始剤とを加えた重合性ラクタム液を注型して、キャビティ内の重合性ラクタム液を加熱して重合させ、重合が完了した後脱型することを特徴とする。
【発明の効果】
【００１７】
センターベルトを金型に装着した状態で、キャビティに重合性ラクタムを注型して重合させブロックを注型成形によるポリアミド樹脂で構成していることから、金型には高い圧力がかかることがないので必要とされる強度も少なくてすみ、金型の厚みを薄くすることができることからブロックのピッチを小さくすることができるのでベルトの走行時における騒音の発生も小さなものとすることができ、また、ブロックの成形中における樹脂漏れも少なくなるのでバリの発生もなく仕上げなどの工程を省くことができ、製造コスト的にも有利である。
【発明を実施するための最良の形態】
【００１８】
図１は本発明の高負荷伝動ベルトの斜視図であり、図２は側面図である。また図３は本発明の高負荷伝動ベルトの製造方法に用いる金型の例を示す斜視図であり、図４は金型を開いたところから見た正面図である。図５は金型を閉じた状態で見た側断面図、図６は図５における別の例を示す側断面図である。
【００１９】
本発明の高負荷伝動ベルトとは、例えば図３、図４に示すようなものであり、高負荷伝動ベルト１はエラストマー４内に心線５をスパイラル状に埋設したセンターベルト３と、このセンターベルト３の上面に所定ピッチで形成された凹条部７、８に嵌合し、係止固定されている複数のブロック２とから構成されている。このブロック２の両側面２ａ、２ｂは、プーリのＶ溝と係合する傾斜のついた面となっており、駆動されたプーリから動力を受け取って、係止固定されているセンターベルト３を引張り、駆動側プーリの動力を従動側プーリに伝動している。
【００２０】
ブロック２は、図３に示すように、上ビーム部１１および下ビーム部１２と、両側部１３、１４が一体的にセンターベルト３の周囲に形成されている。ブロック２の中央にはセンターベルト３を嵌めこむ開口部１５を有し、開口部１５内の上面および下面にはセンターベルト３の上面に設けた凹条部７と下面に設けた凹条部８に係合する凸条部１６、１７が形成されている。
【００２１】
このようにブロックにセンターベルトを嵌め込んで形成するような高負荷伝動ベルトの製造するにあたり、図１および図２に示すように一対の金型３０、３１を用い、その金型３０、３１にはセンターベルト保持部３２を有するとともに、一対の金型３０、３１が合さった状態でブロック２を成形するためのキャビティ３３を形成するようになっており、センターベルト３を前記センターベルト保持部３２にセットした状態で金型３０、３１内のキャビティ３３に重合性ラクタム液を注ぎ込み、加熱して重合させることによってブロックを成形する。
【００２２】
センターベルト３には上下面のブロック２と嵌合する凹条部７、８の間に金型のセンターベルト保持部３２と嵌合する凹部９、１０を有しており、ブロック２を射出成形で成形する際にセンターベルト３の位置決めを行うようになっている。
【００２３】
キャビティ３３はセンターベルト保持部３２にセンターベルト３を嵌め込んだ状態でセンターベルト３を取り囲むように配置されており、キャビティ３３でブロック２を成形するとセンターベルト３にブロック２が凹条部７、８で嵌合された状態で成形されるようになっている。
【００２４】
以上のような工程を経て、ブロック２を成形すると同時にセンターベルト３にブロック２を取り付けることができる。
【００２５】
また、従来はこのような高負荷伝動ベルトの製造においてはセンターベルト３を製造し、別途ブロック２を製造した上でセンターベルト３にブロック２を一つ一つ嵌め込んでいく作業を行っており、特にブロック２をセンターベルト３に嵌め込んでいく作業に多くに時間をとられていたが、上記のような製造方法を採ることによって、ブロック２をセンターベルト３の所定位置に成形しているので、ブロック２を成形し終わった時点でブロック２はセンターベルト３に嵌め込まれた状態となるので、改めてブロック２をセンターベルト３に嵌め込むといった作業が不要になるので、製造に要する時間を大幅に短縮することができるものである。
【００２６】
また、本発明ではブロックの素材として重合性ラクタム液をキャビティ内に注型して成形する注型ポリアミド樹脂を用いていることから、原料となる重合性ラクタム液を無加圧で金型内に注ぎ込むことから、例えば射出成形のような圧力が金型にかかることがなく、ブロックの金型の強度は小さなものでよく厚みもごく薄いもので対応することができる。よって、隣り合うブロック同士の距離も短くすることができ、ベルトのブロックピッチを小さくできるので、ベルトとして走行させた場合のピッチノイズの問題を低減することができ、金型からの樹脂漏れの問題も少なく成形後のバリ取りなどの仕上げ作業に関しても削減することができコスト的にも有利である。
【００２７】
本発明で用いられる重合性ラクタム液は実質上無水のラクタムに少なくともアニオン重合触媒とアニオン重合開始剤とを加えたものである。
【００２８】
ラクタムとしては、α−ピペリドン、ε−カプロラクタム、ω−ラウロラクタム等を挙げることができ、これらの２種以上の混合物でもよい。工業的によく用いられるのはε−カプロラクタムとω−ラウロラクタムである。
【００２９】
アニオン重合触媒としては、水素化ナトリウム、水素化リチウム、ナトリウム、カリウムなどの公知の触媒を使用することができ、その添加量はラクタムに対して０．１〜２．０モル％が適当である。そして、アニオン重合用開始剤としては例えばＮ−アセチル−ε−カプロラクタム、イソシアネート、ジイソシアネート、尿素誘導体、ウレタン、イソシアヌレート誘導体であり、その添加量はラクタムに対して０．０５〜０．１モル％の範囲が好ましい。
【００３０】
アニオン重合触媒はラクタム中に添加し溶解した後に金型に注型する方法でもよいし、ラクタムを金型内に中計した後添加混合する方法でもよい。ラクタムを重合する際の温度は１００〜２１０℃、より好ましくは１３０〜１８０℃の範囲の温度で加熱する。
【００３１】
またこれらの成分以外にも繊維補強材や重合を阻害しない滑剤、ポリビニリデンクロライドなどの着色剤添加することも可能である。
【００３２】
図７に示すように、金型３０と金型３１とはブロックの上ビーム部１１及び下ビーム部１２の中央にパーティングラインができるように分割面３６を位置させている。このようにすることによってベルトが走行する際にプーリと接触するブロックの側面２ａ、２ｂを平滑な面に仕上げることができるので、ベルト走行初期の騒音や摩耗の問題を解消することができる。
【００３３】
分割面３６の位置は図７ではセンターベルト３の中央付近に位置させているが、ブロックの側面２ａ、２ｂを平滑に仕上げるということからすれば、図８に示すようにセンターベルト３の端に位置させることも可能である。そうすることによって金型３１にセンターベルト３を挿入した状態でセンターベルト３が金型３１から突出することがないので、金型３０をあわせる際に突出したセンターベルト３が折れ曲がったり金型に引っかかって損傷したりするといったことがないので好ましい形態であるということができる。
【００３４】
図２に示す例では、金型３０、３１に設けられたキャビティ３３は５箇所であり、一度に成形できるブロックの数は５個である。よって５個のブロックを成形した後に金型から一度ベルトを取り外してブロック５個分を図２中の矢印方向に回転させて次の位置にブロック２を成形できるようにして再度金型３０、３１に装着し、次の位置に５個のブロック２を成形する。このような操作を繰り返してベルト全周のブロック２全部を成形してベルトが完成する。
【００３５】
ブロック２を成形するキャビティ３３以外のところではセンターベルトは固定する必要がなく、金型を閉じる時のベルトの逃げ場所としてベルトの概略形状よりやや広い通路３４が形成されている。
【００３６】
ブロックの成形が完了したら金型３０、３１を開いてブロック２を金型から脱型する。脱型には金型から突出するイジェクトピンを用いて行うのが便利であり、例えば図７に示すブロックのようにブロック２の傾斜した側面２ａ、２ｂの上下位置に垂直面部２ｃを形成してイジェクトピンを当接させる箇所としてもよい。
【００３７】
このようなセンターベルト３にブロック２を取り付けた高負荷伝動ベルト１においてブロック２のピッチ（センターベルト３に取り付けるブロック２同士の間隔）は騒音の問題などに関与するものであり、ピッチが大きすぎると騒音が増すことになる。しかし、一方でブロック２の成形をする際のブロック間に存在する金型の厚みが薄くなりすぎると強度不足となって金型が変形しブロック２の変形にもつながるので好ましくない。そこで、ブロック２とブロック２間の金型の厚みは０．８ｍｍ〜２ｍｍとする。
【００３８】
ブロック２とブロック２間の金型の厚みが２ｍｍをこえると、ブロックのピッチが大きくなりすぎてベルトの強度や騒音の問題が発生し、０．８ｍｍ未満では金型の変形が発生してしまう。
【００３９】
以上の説明ではブロック２は一度に５個を成形し、順送り的に全数を成形して高負荷伝動ベルト１を完成させているが、ブロック２の全数と同じ数のキャビティを有する金型を用いて一度に全部を成形しても構わない。
【００４０】
金型に全ブロック数と同じだけのキャビティ３３を設け、ブロック２の全数を一度に成形する場合には、各キャビティ３３が全部隣り合って位置しており、各キャビティ３３内の圧力が略一定になるのでブロック２間の金型の厚みは小さくても金型の変形は起こりにくくなる。そのため０．８ｍｍ程度の厚みがあれば十分にブロックを成形することが可能になる。
【００４１】
本発明に適用できる高負荷伝動ベルトは図３で示した例に限られることはなく、様々な形態を採ることができる。図８に示すベルトは図３に示すベルトとほぼ同じ形状を有しているが、センターベルト３の幅方向の中央にブロックを取り付けるのと同じピッチで貫通孔１８を有しており、ブロック２が成形される際にその貫通孔１８を通して樹脂が連結１９されている。
【００４２】
このようにセンターベルト３に設けた貫通孔１８を通して上下でブロックを形成する樹脂が連結１９されていることによって、ブロック２とセンターベルト３との固定力がより強固なものになる。ベルト１が長期にわたって走行を続けるとブロック２とセンターベルト３とのがたつきが発生し、それが原因でベルト１の騒音が大きくなったり、ブロック２の破損やセンターベルト３の切断したりといった故障につながることがあるが、ブロック２とセンターベルト３の固定力を高めることによってベルト１の寿命を長期化することができるものである。
【００４３】
図１０の例では一つのブロック２につきセンターベルト３に設けている貫通孔１８の数は一つであるが、一つであることに限定されるものでなく、二つや三つといった複数の孔を設けることも可能である。
【００４４】
このブロック２は合成樹脂素材のみからなっているものに限られず、センターベルト３にアルミニウム合金などの金属などからなるインサート材を装着してブロックを成形することも可能である。
【００４５】
本発明では前述のようにブロック中に繊維補強材や滑剤を配合することは可能であり、繊維状の補強材は１５〜４０重量％の範囲で配合する。１５重量％未満であると補強効果が少なくブロックの耐磨耗性が十分でないなどの問題があり、４０重量％を超えると樹脂への配合が困難になるなどの問題があるので好ましくない。繊維補強材としてはカーボン繊維、アラミド繊維、炭素繊維、ガラス繊維、ポリアミド繊維、ポリエステル繊維等の繊維、酸化亜鉛ウィスカ、チタン酸カリウムウィスカ、ホウ酸アルミニウムウィスカ、ウォラストナイトなどを挙げることができる。これらを配合することによって成形時のそりや成形収縮の異方性が改良される。さらに、ブロック２の靭性、曲げ剛性等の強度についての異方性も低減することができ、かつ、摩擦係数が安定するため、耐摩耗性が向上する。
【００４６】
このような材料構成とすることによって、プーリと接する際に受ける側圧にも十分に耐えうる剛性、靭性等の強度を有するとともに、耐摩耗性に優れ、更には、摩擦時に発生する熱に対しても強いブロックとすることが可能となり、プーリから受ける動力を効率よくセンターベルト３に引張力として伝えることができ、引張伝動式の高負荷伝動ベルトを構成することができる。
【００４７】
また、滑剤として油類、ワックス、ステアリン酸亜鉛、ステアリン酸カルシウム、二硫化モリブデン、グラファイト、フッ素系樹脂などを混入することによってもブロック２の潤滑性を向上させることができる。フッ素系樹脂としては、ポリ４フッ化エチレン（ＰＴＦＥ）、ポリフッ化エチレンプロピレンエーテル（ＰＦＰＥ）、４フッ化エチレン６フッ化プロピレン共重合体（ＰＦＥＰ）、ポリフッ化アルコキシエチレン（ＰＦＡ）等が挙げられる。
【００４８】
センターベルト３のエラストマー４として使用されるものは、クロロプレンゴム、天然ゴム、ニトリルゴム、スチレン−ブタジエンゴム、水素化ニトリルゴムなどの単一材またはこれらを適宜ブレンドしたゴムあるいはポリウレタンゴム等が挙げられる。そして、心線５としてはポリエステル繊維、ポリアミド繊維、アラミド繊維、ガラス繊維、スチールワイヤ等から選ばれたロープが用いられる。
【００４９】
なお、本発明にかかる高負荷伝動ベルトに用いられるブロックには、本実施形態に示した形態に限定されるものではない。
【実施例１】
【００５０】
実施例１としては、図３に示すよう高負荷伝動ベルトであり、ブロックに用いた樹脂材料としてはラクタムとしてはε−カプロラクタム、アニオン重合用開始剤に水素化ナトリウムを用いた重合性ラクタム液にカーボン繊維を３０質量％配合したものを、センターベルトを装着した金型内に注型してセンターベルトにブロックを一体的に成形しベルトとした。ブロックピッチは３ｍｍとしている。
【００５１】
このベルトを表１に示す要件で走行させて騒音レベルを測定した。その結果を表２に示す。
【比較例１】
【００５２】
比較例１としてはブロックをナイロン６６にカーボン繊維が３０質量％配合された樹脂を用いて、センターベルトを装着した金型で射出成型にて一体的に成形した以外は実施例１と全く同様にベルトを作成した。ブロックのピッチは５ｍｍとしている。
【００５３】
このベルトを表１に示す要件で走行させて騒音レベルを測定した。その結果を表２に示す。
【００５４】
【表１】
2005351451.tif 000003
【００５５】
【表２】
2005351451.tif 000004
【００５６】
表２の結果からわかるように、注型成形してブロックピッチを３ｍｍとしたベルトでは射出成形でブロックピッチが５ｍｍであるベルトと比べて騒音のレベルを大幅に下げることができている。
【産業上の利用可能性】
【００５７】
自動車や自動二輪車、農業機械の無段変速装置など、プーリの有効径が変化し大きなトルクを伝達するようなベルトの製造に適用することができる。
【図面の簡単な説明】
【００５８】
【図１】高負荷伝動ベルトの斜視図である。
【図２】高負荷伝動ベルトの側断面図である。
【図３】本発明の製造方法で用いられる製造装置の概要斜視図である。
【図４】金型を開いたところから見た正面図である。
【図５】金型を閉じた状態で見た側断面図である。
【図６】図７における別の例を示す側断面図である。
【図７】ブロックの別の例を示す正面図である。
【図８】高負荷伝動ベルトの別の例を示す斜視図である。
【符号の説明】
【００５９】
１    高負荷伝動ベルト
２    ブロック
３    センターベルト
４    エラストマー
５    心線
６    補強布
７    凹条部
８    凹条部
９    凹部
１０  凹部
１１  上ビーム部
１２  下ビーム部
３０  金型
３１  金型
３２  センターベルト保持部
３３  キャビティ
３４  通路
３５  ゲート
３６  分割面
【図１】
2005351451.tif 000005
【図２】
2005351451.tif 000006
【図３】
2005351451.tif 000007
【図４】
2005351451.tif 000008
【図５】
2005351451.tif 000009
【図６】
2005351451.tif 000010
【図７】
2005351451.tif 000011
【図８】
2005351451.tif 000012